(57)【要約】【構成】複数の石材１００〜１０４を積層してなる墓石１において、地面Ｇにボルト２Ａを埋設し、最上の石材１０４にボルト２Ｂを埋設し、前記石材１０１〜１０３に共通の貫通孔１０５を孔設し、当該共通の貫通孔１０５を通して地面Ｇに埋設したボルト２Ａと最上の石材１０４に埋設したボルト２Ｂとの間に伸縮自在のタ−ンバックル部３を介在させてなる耐震墓石Ｔ。【効果】耐震性に強く、作業が簡単で、石材間の締付け・解放が自由にでき、その締付けにより地震の揺れを受けても、墓石の転倒やずれを防止し、一方、その解放により移転や墓の修理に迅速に対処でき、部品点数も少なくて済む。【選択図】図１
0003117855.tif 000002
【実用新案登録請求の範囲】
【請求項１】
複数の石材を積層してなる墓石において、地面にボルトを埋設し、最上の石材にボルトを埋設し、前記石材に共通の貫通孔を孔設し、当該共通の貫通孔を通して前記地面に埋設したボルトと前記最上の石材に埋設したボルトとの間に伸縮自在のタ−ンバックル部を介在させてなることを特徴とする耐震墓石。
【請求項２】
タ−ンバックル部の胴部が、基礎の納骨室に位置するようにしてなることを特徴とする、請求項１に記載の耐震墓石。
【請求項３】
ボルトが、カットアンカ−又は基礎ボルトであることを特徴とする、請求項１又は２に記載の耐震墓石。
【請求項４】
耐震墓石が、外柵と石材との間で、当該外柵と石材の両者にボルトを埋設し、当該外柵側のボルトと当該石材側のボルトとの間に伸縮自在のタ−ンバックル部を介在させ、地面にボルトを埋設し、片側がフック部で他側がストレート部の伸縮自在のタ−ンバックル部の当該ストレート部と当該地面に埋設されたボルトとを接合し、当該タ−ンバックル部の当該フック部を前記のボルト間のタ−ンバックル部に係止してなることを特徴とする、請求項１、２又は３に記載の耐震墓石。
【請求項５】
耐震墓石が、外柵と外柵との両者にボルトを埋設し、両ボルト間に伸縮自在のタ−ンバックル部を介在させてなることを特徴とする、請求項４に記載の耐震墓石。
【考案の詳細な説明】
【技術分野】
【０００１】
本考案は、耐震墓石に関するものである。
【背景技術】
【０００２】
墓石は、通常、石材（台石）が単に複数段積み重ねられた形式である為に、耐震に弱いという弱点があり、石材の接合部に凹凸を設けて上下の石材を連結させるとか、接合面の中心に穴を開けその穴に芯棒を差し込み上下の石材を連結させるとか、接着剤で接合する等の各種の方法が提案されている。しかしながら、凹凸を設けて連結する方法や接着剤で接合する方法では、比較的に大きな地震では、ずれを生じやすく、石材の落下の危険性もあり、十分な耐震性を確保することは出来難い。芯棒にて連結する方法では、芯棒が曲がって石材が位置ずれしたり、場合により芯棒が折れて石材が落下することがある。
墓石に耐震性を付与する為に、支持ボルトを石塔本体の貫通穴に差し込んで、石塔の各パ−ツから外柵や付属品に至るまでボルトとナットで固定するという耐震工法も提案されているが、石塔を構成する上台と中台との間、中台と芝台との間等の全パ−ツを個々にボルトとナットで固定するので手間が掛かり、又、部品点数も増大するなどの欠点がある。
又、耐震工法墓石として、棹（さお）石と上台、上台と下台（中台）の接合部にそれぞれ雄ネジと雌ネジを形成して、これら雄ネジと雌ネジとを螺合させて、当該棹石と上台、上台と下台（中台）とを一体化させると共に、下台（中台）と芝台と基礎の３つのパーツは、別の固定具としてタ−ンバックルを使用してなる耐震工法墓石が提案されている（特開２００２−０２１３７４号公報）。しかし、当該工法では、棹石と上台、上台と下台（中台）との接合は、それぞれに雄ネジと雌ネジを形成して、これら雄ネジと雌ネジとを螺合させて、当該棹石と上台、上台と下台（中台）とを一体化させる一方、下台（中台）と芝台と基礎の３つのパ−ツは、別の固定具のタ−ンバックルを使用するので、作業に時間か掛かり、又、部品点数も増大するなどの欠点がある。
【特許文献１】２００２−０２１３７４号公報
【考案の開示】
【考案が解決しようとする課題】
【０００３】
本考案は、上記従来技術の有する問題点を解消し得る技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）複数の石材を積層してなる墓石において、地面にボルトを埋設し、最上の石材にボルトを埋設し、前記石材に共通の貫通孔を孔設し、当該共通の貫通孔を通して前記地面に埋設したボルトと前記最上の石材に埋設したボルトとの間に伸縮自在のタ−ンバックル部を介在させてなることを特徴とする耐震墓石。
（請求項２）タ−ンバックル部の胴部が、基礎の納骨室に位置するようにしてなることを特徴とする、請求項１に記載の耐震墓石。
（請求項３）ボルトが、カットアンカー又は基礎ボルトであることを特徴とする、請求項１又は２に記載の耐震墓石。
（請求項４）耐震墓石が、外柵と石材との間で、当該外柵と石材の両者にボルトを埋設し、当該外柵側のボルトと当該石材側のボルトとの間に伸縮自在のタ−ンバックル部を介在させ、地面にボルトを埋設し、片側がフック部で他側がストレート部の伸縮自在のタ−ンバックル部の当該ストレート部と当該地面に埋設されたボルトとを接合し、当該タ−ンバックル部の当該フック部を前記のボルト間のタ−ンバックル部に係止してなることを特徴とする、請求項１、２又は３に記載の耐震墓石。
（請求項５）耐震墓石が、外柵と外柵との両者にボルトを埋設し、両ボルト間に伸縮自在のタ−ンバックル部を介在させてなることを特徴とする、請求項４に記載の耐震墓石。
【考案の効果】
【０００５】
本考案の耐震墓石によれば、地面にボルトが埋設されているので、耐震性に強く、しかも、墓石全体が耐震性に強く、地面にボルトを埋設し、最上の石材にボルトを埋設し、石材間の貫通孔にタ−ンバックル部を介在させればよいので、作業が簡単で、部品点数も少なくて済み、タ−ンバックル部は伸縮自在であるので、石材間の締付け・解放が自由にでき、その締付けにより地震の揺れを受けても、墓石の転倒やずれを防止し、一方、その解放により移転や墓の修理に迅速に対処できる。
請求項２のように、タ−ンバックル部の胴部が、基礎の納骨室に位置するようにすると、当該納骨室には開口が設けられており、当該開口を通して当該タ−ンバックル部の回転操作を行えるので、より一層タ−ンバックル部による締付け・解放操作を容易に行える利点を有する。
請求項３のように、ボルトが、カットアンカー又は基礎ボルトであると、地面や棹石やや外柵や基礎などから当該ボルトが抜け出しせず、耐震性をより一層向上させることができる。
請求項４におけるように、墓石本体のみならず、当該墓石本体の周辺に位置する外柵との間でも、それぞれボルトを埋設し、当該外柵側のボルトと当該墓石本体の石材側のボルトとの間に伸縮自在のタ−ンバックル部を介在させ、地面にボルトを埋設し、片側がフック部で他側がストレート部の伸縮自在のタ−ンバックル部の当該ストレート部と当該地面に埋設されたボルトとを接合し、当該タ−ンバックル部の当該フック部を前記のボルト間のタ−ンバックル部に係止させると、墓石本体や外柵のみならず墓石全体の耐震性をより一層向上させることができる。
請求項５におけるように、請求項４に記載の墓石において、更に、外柵と外柵との両者にボルトを埋設し、両ボルト間にタ−ンバックル部を介在させると、墓石本体や外柵のみならず墓石全体の耐震性をより一層向上させることができる。
【考案を実施するための最良の形態】
【０００６】
次に、本考案の実施例を図面に基づいて説明する。
【実施例】
【０００７】
実施例１．
図１にその一例を示す墓石Ｔにおける墓石本体１は、下方から上方に向かって順次基礎１００、芝台１０１、下台１０２、上台１０３及び棹石１０４とからなっている。
基礎１００内部には、納骨室１０００が形成されている。当該納骨室１０００は、納骨し易いように開放口を有する。
基礎１００の納骨室１０００の中央下部の地面Ｇには、図示のように、カットアンカ−２Ａが地中に埋設されている。
墓石本体１の芝台１０１、下台１０２及び上台１０３のほぼ中央には共通の貫通孔１０５が孔設されている。
棹石１０４の底部のほぼ中央にはカットアンカ−２Ｂが埋設されている。
図１に示すように、当該共通の貫通孔１０５を通して前記地面に埋設したカットアンカ−２Ａと前記棹石１０４に埋設したカットアンカ−２Ｂとの間に、タ−ンバックル部３を介在させてなる。
当該タ−ンバックル（ｔｕｒｎｂｕｃｋｌｅ）部３は、両端に右ネジと左ネジの継手をもった部品で、図５にその例を示す。当該タ−ンバックル部３は、例えば、タ−ンバックル胴部（バックル金物）３００と当該胴部とネジ合わせする端部に右ネジと左ネジの逆方向のネジ３０１０が切られた棒部３０１とを有してなる。図５（Ａ）及び（Ｂ）に示す当該タ−ンバックル部３は、そのタ−ンバックル胴部３００が枠式で且つ棒部３０１がストレートタイプのもので、同じく当該ストレートタイプで、両先端部にネジ部３０２を有するものを使用することができる。図５（Ａ）に示す当該タ−ンバックル部３のように、ボルト３０１０をネジ３０１０として使用することができる。
図５（Ｃ）に示すタ−ンバックル部３は、タ−ンバックル胴部３００がパイプ式で且つ棒部３０１がストレートタイプのもので、当該パイプタ−ンバックルストレ−トと称されるものも使用できる。図５（Ａ）及び（Ｂ）に示すタ−ンバックル部と同様にネジ３０１０やネジ部３０２が切られている。
尚、図５（Ｄ）に示すタ−ンバックル部３については、後述する。
【０００８】
図１及び図３に示すように、地面Ｇの地中には、カットアンカ−２Ａが埋設され、タ−ンバックル部３の下端部が締め付け部材４を介して当該カットアンカ−２Ａに締め付け固定される。
図３に示すように、タ−ンバックル部３の下端部のネジ３０１０が、カットアンカ−２Ａ内面のネジ２００に螺合される。
当該締め付け部材４は、その図示例では、ライナー４００と角座４０１とワッシャ−（座金）４０２とＳワッシャ−（ばね座金）とナット４０４とからなっている。当該ワッシャ−（座金）４０２とＳワッシャ−（ばね座金）とナット４０４とは一体となったパクトと称されるものを使用することができる。
【０００９】
図１に示すように、棹石１０４の底部のほぼ中央にはカットアンカ−２Ｂが埋設されているが、当該棹石１０４の底部のほぼ中央にカットアンカ−用の穴（図示省略）を開け、当該穴にカットアンカ−２Ｂを埋設する。
当該カットアンカ−２Ｂには、前記のカットアンカ−２Ａと同様のものが使用できる。
【００１０】
図４に示すように、棹石１０４に埋設されたカットアンカ−２Ｂとタ−ンバックル部３のストレート棒部３０１の上部のネジ３０２とが螺合され、当該カットアンカ−２Ｂとタ−ンバックル部３とが接合される。図４（Ａ）及び（Ｂ）に示すように、カットアンカ−２Ｂとタ−ンバックル部３とを直接螺合してもよいが、耐震性を向上させるためには、図４（Ｃ）及び（Ｄ）に示すように、上台１０３の上部に凹部１０３０を設けて、当該凹部１０３０に締め付け部材５を入れて、当該締め付け部材５にて棹石１０４に埋設されたカットアンカ−２Ｂとタ−ンバックル部３とを締め付け固定することが好ましい。当該締め付け部材５の例としては、前記の締め付け部材４とは異なり、ナット５００とＳワッシャ−５０１とワッシャ−５０２と角座５０３とからなっている。
【００１１】
上記のように、カットアンカ−２Ａを地中に埋設し、棹石１０４の底部にカットアンカ−２Ｂを埋設し、当該地面に埋設したカットアンカ−２Ａと当該棹石１０４に埋設したカットアンカ−２Ｂとの間にタ−ンバックル部３を介在させ、当該タ−ンバックル部３を伸長・収縮させ、基礎１００、芝台１０１、下台１０２、上台１０３の締め付け・解放を行い、墓石本体１に耐震性を付与するのであるが、図６に示すように、棹石１０４の底部に埋設されるカットアンカ−２Ｂの内面ネジ２００が右ネジであるときには、タ−ンバックル部３の上端部のネジ３０２は当該カットアンカ−２Ｂの内面ネジ２００との関係で、右ネジ３０２となり、当該カットアンカ−２Ｂとタ−ンバックル部３とが接合され、一方、タ−ンバックル部３のストレート部３０１の下部の上部ネジ３０１０は、当該タ−ンバックル部３の上端部のネジ３０２との関係で左ネジとなり、当該タ−ンバックル部３の下部ネジ３０１０は、上部ネジ３０１０との関係で逆ネジの右ネジとなり、地中に埋設したカットアンカ−２Ａの内面ネジ２００は、右ネジとなる。
かくて、カットアンカ−２Ａ及びカットアンカ−２Ｂとの間でタ−ンバックル部３を介在させ、石材の締め付け固定を行い、墓石本体１に耐震性を付与することができる。
【００１２】
図１に示すように、タ−ンバックル部３の胴部３００が、基礎１００の納骨室１０００に位置するようにする
納骨室１０００にて、図５（Ｂ）に示すようなタ−ンバックルの場合、タ−ンバックル部３の胴部３００の右ネジと左ネジの逆方向のネジ３０１０が切られた棒部３０１を正逆回転させると、当該タ−ンバックル部３が伸縮し、基礎１００、芝台１０１、下台１０２、上台１０３の締め付け・解放を行う。又、カットアンカ−２Ｂが埋設された棹石１０４とカットアンカ−２Ａが埋設された地面Ｇとの間にも締め付け・解放が行われ、墓石本体１全体に耐震性が付与され、又、解放も行うことができる。
【００１３】
本考案では、上記のカットアンカ−に代えて、例えば、図７に示すような、各種の基礎ボルトを使用することができる。
図７（Ａ）に示す基礎ボルトは、鬼ボルトと称され、図７（Ｂ）及び（Ｃ）に示す基礎ボルトはアンカーボルトと称され、更に、図７（Ｄ）に示す基礎ボルトは、アイボルトと称され、更に又、図７（Ｅ）及び（Ｆ）に示す基礎ボルトは、アンカ−プレ−トと称され、ここに例示されたような基礎ボルトが使用される。
尚、当該図７では、ナット４０４が付設されたものを図示しているが、ナット４０４とは別個に使用できることはもちろんである。
図８に示すように、地面Ｇの地中に基礎ボルト２Ａを埋設し、当該基礎ボルト２Ａとタ−ンバックル部３のストレート棒部３０１の先端部の螺子３０２とを締め付け部材４を介在させて締め付け固定することができる。
【００１４】
図９は、タ−ンバックル胴部３００がパイプ式で且つ棒部３０１がストレートタイプのもので、パイプタ−ンバックルストレ−トと称され、もう片方の先端部にも、図示のように、螺子３０２が螺切されたタ−ンバックル部３を使用した他の実施例を示し、図示のように、棹石１０４に埋設された基礎ボルト２Ｂのネジと螺合される。当該タ−ンバックル部３のタ−ンバックル胴部３００を回転させると、当該棹石１０４との螺合や基礎ボルト２Ａとの螺合が行うことができ、一方、当該タ−ンバックル部３を伸縮させ、基礎１００、芝台１０１、下台１０２、上台１０３の締め付け・解放を行うことができる。又、基礎ボルト２Ｂが埋設された棹石１０４と基礎ボルト２Ａが埋設された地面Ｇとの間にも締め付け・解放が行われ、墓石本体１全体に耐震性が付与され、又、解放も行うことができることは前記と同様である。タ−ンバックル部３の地面Ｇへの締め付け・固定は、例えば、図９に示すようなナット４０４とワッシャ−４０２とからなる締め付け部材４により行うことができる。
【００１５】
上記実施例によれば、地面にカットアンカ−２Ａや基礎ボルト２Ａが埋設されているので、耐震性に強く、しかも、墓石本体１の全体が耐震性に強くなり、地面Ｇにカットアンカ−２Ａや基礎ボルト２Ａを埋設し、最上の棹石１０４にカットアンカ−２Ｂや基礎ボルト２Ｂを埋設し、芝台１０１、下台１０２、上台１０３からなる石材間の貫通孔１０５にタ−ンバックル部３を介在させるだけなので、耐震作業が簡単で、部品点数が少なくて済み、タ−ンバックル部３は伸縮自在であるので、芝台１０１、下台１０２、上台１０３からなる石材間の締付け・解放が自由にでき、その締付けにより地震の揺れを受けても、当該墓石の転倒やずれを防止し、一方、その解放により当該墓石の移転や墓の修理に迅速に対処できる。棹石１０４は、上台１０３から容易に離脱させることができ、その彫刻の修正なども容易となる。
上記実施例によれば、タ−ンバックル部３の胴部３００が、基礎１００の納骨室１０００に位置するようになっているので、当該納骨室１０００の開口を通して当該タ−ンバックル部３の回転操作を容易に行えるので、より一層タ−ンバックル部３による石材の締付け・解放操作を容易に行え得るという利点を有する。
【００１６】
実施例２．
本考案の他の実施例を図１及び図２に基づいて説明する。
図１及び図２に示すように、外柵６と墓石本体１との間も連結させ、外柵６に耐震性を付与すると共に、墓石本体１の耐震性をより一層向上させるようにする。
図１に示すように、外柵６と墓石本体１の基礎１００との間で、当該外柵６側にカットアンカ−２Ｃを埋設すると共に、当該基礎１００側にカットアンカ−２Ｄを埋設する。
当該外柵６側のカットアンカ−２Ｃと当該石材側のカットアンカ−２Ｄとの間に伸縮自在のタ−ンバックル部３を介在させる。締め付け部材４にて、各カットアンカ−２Ａ及びカットアンカ−２Ｂとタ−ンバックル部３とを締め付け固定することが好ましい。当該締め付け部材には、前記の締め付け部材４と同様のものが使用できる。
墓石本体１と同様に、図１に示すように、地面Ｇにカットアンカ−２Ｅを埋設する。締め付け部材４にて、カットアンカ−２Ｅを地面Ｇに締め付け固定することが好ましい。当該締め付け部材４には、前記の締め付け部材４と同様のものが使用できる。
当該地面に埋設されたカットアンカ−２Ｅと、前記の図５（Ｄ）に示すタ−ンバックル胴部３００が枠式で一端部がフック部３０３に構成され、他部の棒部３０１がストレートタイプ部３０１となっているタ−ンバックル部３の当該ストレート部３０１とを接合する。カットアンカ−２Ｅとタ−ンバックル部３のネジ３０２とを螺合する。
一方、当該タ−ンバックル部３の当該フック部３０３を前記のカットアンカ−２Ｃ及び２Ｄ間のタ−ンバックル部３に係止する。
上記実施例のように、墓石本体１の周辺に位置する外柵６との間でも、それぞれカットアンカ−２Ｃ，２Ｄ（基礎ボルトでも可）を埋設し、当該外柵６側のカットアンカ−２Ｃと当該墓石本体１側のカットアンカ−２Ｄとの間に伸縮自在のタ−ンバックル部３を介在させ、地面Ｇにカットアンカ−２Ｅを埋設し、片側がフック部３０３で他側がストレート部３０１の伸縮自在のタ−ンバックル部３の当該ストレート部３０１と前記の地面Ｇに埋設されたカットアンカ−２Ｅとを接合し、当該タ−ンバックル部３の当該フック部３０３を前記のカットアンカ−２Ｃ，２Ｄ間のタ−ンバックル部３に係止させると、外柵６に耐震性を付与すると共に、墓石本体１の耐震性をより一層向上させることができる。
【００１７】
実施例３．
図１及び図２に示すように、外柵６と外柵６との間で、当該離隔された外柵６側と外柵６側との両側にカットアンカ−２Ｈ及びカットアンカ−２Ｉを埋設し、当該外柵６におけるカットアンカ−２Ｈとカットアンカ−２Ｉとの間に伸縮自在のタ−ンバックル部３を介在させる。締め付け部材４にて、各カットアンカ−２Ｈ及びカットアンカ−２ｉを各外柵６に締め付け固定することが好ましい。当該締め付け部材４には、前記の締め付け部材４と同様のものが使用できる。外柵６に耐震性を付与すると共に、墓石本体１の耐震性をより一層向上させることができる。
【００１８】
本考案は上記実施例に限定されず、適宜変更が可能であり、例えば、前記実施例では、基礎が地面上に形成された例を示すが、地中に基礎が埋設された場合であってもよく、地中にカットアンカ−や基礎ボルト等のボルトを埋設することができる。
本考案は上記実施例に限定されず、適宜変更が可能であり、例えば、外柵は、下石と共に境界石を構成するようになっていてもよいことはもちろんである。
本考案は墓石本体や外柵に加えて、水鉢、香炉、灯籠、花立て、墓誌等を有していてもよい。
【産業上の利用可能性】
【００１９】
本考案は、角石塔に限定されず、層塔、卵塔、宝塔、五輪塔などの墓標にも適用される。
本考案は、長方形の石を積み重ねた和型に限定されず、洋型などの墓標にも適用される。
【図面の簡単な説明】
【００２０】
【図１】本考案の実施例を示す耐震墓石の一例断面図である。
【図２】本考案の実施例を示す耐震墓石の一例平面図である。
【図３】本考案の一例構成図である。
【図４】（Ａ）〜（Ｄ）それぞれ本考案一例要部構成図である。
【図５】（Ａ）〜（Ｄ）それぞれ本考案に使用されるタ−ンバックル部の例を示す構成図である。
【図６】本考案の一例構成図である。
【図７】（Ａ）〜（Ｆ）それぞれ本考案に使用される基礎ボルトの例を示す構成図である。
【図８】本考案の実施例を示す基礎ボルトの実施方法の一例説明図である。
【図９】本考案の他の実施例を示す構成図である。
【符号の説明】
【００２１】
１    墓石本体
２    ボルト
３    タ−ンバックル部
６    外柵
１００    基礎
１０００    納骨室
【図１】
0003117855.tif 000003
【図２】
0003117855.tif 000004
【図３】
0003117855.tif 000005
【図４】
0003117855.tif 000006
【図５】
0003117855.tif 000007
【図６】
0003117855.tif 000008
【図７】
0003117855.tif 000009
【図８】
0003117855.tif 000010
【図９】
0003117855.tif 000011